(57)【特許請求の範囲】
【請求項１】
回転可能な選別筒（１）内に穀粒を供給し、該選別筒（１）の周面に設けた長孔状の選別孔（２）から、小径の未熟粒（Ａ）を漏出させて選別する穀粒選別機において、選別筒（１）の回転方向（Ｄ）に対する選別孔（２）の長孔の始端部より後に、該長孔短径より大きな直径を有する円孔（３）を設けたことを特徴とする穀粒選別機の選別筒。
【発明の詳細な説明】
【０００１】
【発明の属する技術分野】
本発明は、米や麦等の穀粒を粒径の大小によって選別し、小径の未熟粒を取り除いて整粒を得るようにした穀粒選別機に関する。
【０００２】
【従来の技術】
従来の穀粒選別機においては、回転可能な選別筒の周面に、軸方向の幅よりも周方向の幅が大きな長孔状の選別孔を複数個穿設し、該選別筒内に供給された穀粒を、選別筒の長手方向に送りながら、前記選別孔から小径の未熟粒を漏出させて選別している。
【０００３】
【発明が解決しようとする課題】
しかし、前記の構成では、選別孔の長孔短径より大きな径の砕粒は漏出することができなかった。
また、前記の如き砕粒は、選別孔に詰り易く、選別の効率を下げる原因となっていた。
そこで、簡単な構成で、上記の問題を解決することを課題とする。
【０００４】
【課題を解決するための手段】
回転可能な選別筒１内に穀粒を供給し、該選別筒１の周面に設けた長孔状の選別孔２から、小径の未熟粒Ａを漏出させて選別する穀粒選別機において、選別筒１の回転方向Ｄに対する選別孔２の長孔の始端部より後に、該長孔短径より大きな直径を有する円状孔３を設けたことを特徴とする穀粒選別機の選別筒の構成とした。
【０００５】
【発明の作用及び効果】
選別筒１内に供給された穀粒は、選別筒１の長手方向に送られながら、選別孔２により小径の未熟粒Ａが選別筒１の外側へ漏出されて選別される。選別穀粒中に整粒Ｃがその長径の途中で折れることによって発生する砕粒Ｂが含まれていれば、該砕粒Ｂは長孔状の選別孔２に設けた、長孔部分の短径より大きな直径を有する円孔３より漏出される。この円孔３は、選別筒１の回転方向Ｄに対する選別孔２の長孔の始端部より後に設けているので、前記砕粒Ｂは、始めに必ず選別孔２の長孔部分を通過すると共に該長孔部分で整列され、確実に円孔３にて漏出される。選別孔２の長孔部分で漏出されなかった整粒Ｃは、長径が円孔３の直径より大きい為、円孔３から漏出されることがなく、選別筒１内を移送される。
以上のように、本発明の選別筒では、小径の未熟粒Ａのみならず選別孔２の長孔短径より大きな径の砕粒Ｂも漏出することができるので、選別が確実であると共に、目詰りを起こし難く、効率的に選別することができる。
また、上記の効果は、選別筒１の回転方向Ｄに対する選別孔２の長孔の始端部より後に、該長孔短径より大きな直径を有する円孔３を設けるだけで得られるので、構成が簡単である。
【０００６】
【実施例】
次に、本発明を縦型穀粒選別機に実施した例を、図面を参照しながら説明する。
図１は、縦型穀粒選別機の全体側断面図であって、その構造は、以下に記述の如くしている。
四角筒状の外殻体４内の下部に基盤５を横架し、該基盤５上に受粒筒６を設置して、さらにその上に選別筒１を回転可能に装着している。そして、該受粒筒６と選別筒１内を貫通するラセン体７を回転可能に収嵌し、基盤５の下面に取り付けたギヤケース８によって前記選別筒１とラセン体７が互いに逆方向へ回転するようにしている。
９は、機体側部に装着したモータで、ベルト１０によってギヤケース８に動力を伝動する。
【０００７】
選別筒１の周面には、選別する穀粒の径に対応した短径を有する長孔状の選別孔２を複数列配列しており、該選別孔２は、選別筒１の回転方向Ｄに対する終端を円孔３状に形成している。
この円孔３の直径は、選別孔２の長孔部分の短径より大きくしているので、選別孔２は、おたまじゃくし状の形となる。
この選別孔２の長孔部分の短径と円孔３の直径の割合は、該直径が短径の１．５〜２．５倍程度に設定しており、実験により収集したデータから具体的な割合を説明すると、例えば短径が１．４０mmの長孔に対し、直径が３．００mmの円孔３を設けた時が最も良い選別が成された。
【０００８】
前記選別孔２を設けた範囲の選別筒１外周上側及び下側には、仕切板１１、１２を外殻体４に取着して設けており、該下側仕切板１２で選別孔２から漏れ出す屑粒を受けて、外殻体４の外方へ向けて設けた取出シュート１３から屑粒を外部へ取り出す。
また、上側仕切板１１は、選別筒１の上側部に設けた整粒取出口１４から放出される整粒Ｃを受けて、外殻体４の外側に突設した貯留タンク１５内へ整粒Ｃを放出する。受粒筒６内には、外殻体４の下部に突設した供給シュート１６を連通して、選別する穀粒を受け入れるようにしている。
１７は、開口することで、外殻体４から選別筒１を上方へ抜き出し可能な上蓋で、蝶ねじ１８によって取り付けている。
以上の構成で穀粒の選別作業を行うには、まず、供給シュート１６から選別する穀粒を供給し、受粒筒６内へ該穀粒を流入する。すると、ラセン体７の回転により穀粒が上方へ運ばれるが、この時、穀粒は遠心力により外方へ案内され、ラセン体７を覆う選別筒１内周面に集積される。
【０００９】
選別筒１内周面に集積される穀粒は、選別筒１の回転により該選別筒１の内周面に沿って、選別筒１の回転方向Ｄと逆に移動をし、図２（ａ）に示す如く、小径の未熟粒Ａを選別孔２の長孔部分にて漏出する。
また、図２（ｂ）、（ｃ）に示す如く、この時漏出されない選別孔２の長孔短径より大きな径の穀粒は、前記選別孔２の長孔部分で整列され、選別孔２の円孔３部分へ移動し、従来の選別孔では目詰りを起こし易い砕粒Ｂを図３（ａ）に示す如く漏出する。整粒Ｃは、その長径が円孔３の直径より大きい為、図３（ｂ）に示す如く円孔３から漏出されることがなく、選別筒１内に残ることになる。選別筒１内に残った整粒Ｃは、この後ラセン体７により、さらに上方へ運ばれて整粒取出口１４から放出され、仕切板１１にて受けられた後、貯留タンク１５内へと送られる。選別孔２から選別筒１外へ漏出された小径の未熟粒Ａと砕粒Ｂは、仕切板１２にて受けられた後、取出シュート１３から機体外部へ取り出される。
【００１０】
このように、本発明の選別筒１では、目詰りを起こし易い砕粒Ｂを確実に漏出することができ、その構成が簡単であると共に操作も簡単である。
尚、本発明実施例において、選別孔２の円孔３位置は、選別筒１の回転方向Ｄに対する終端としたが、図４に示す如く長孔の中間部に設ける等、長孔の始端部より後ならばどこに設けてもよい。
さらに、該円孔３は、１つに限らず、図５に示す如く１つの選別孔２に複数個設けても良い。
また、円孔３を、楕円孔等にしても、円状の孔であれば同様の効果を奏する。
尚、請求の範囲の項に図面との対象と便利にする為に番号を記すが、この記入により本発明は添付図面の構造に限定されるものではない。
【図面の簡単な説明】
【図１】  本発明実施例の全体側面図。
【図２】  本発明実施例の選別孔２長孔部分による選別状態を示す図であって、（ａ）は小径の未熟粒Ａの選別状態を示し、（ｂ）は砕粒Ｂの選別状態を示し、（ｃ）は整粒Ｃの選別状態を示す。
【図３】  本発明実施例の選別孔２円孔３部分による選別状態を示す図であって、（ａ）は砕粒Ｂの選別状態を示し、（ｂ）は整粒Ｃの選別状態を示す。
【図４】  本発明実施例の選別孔２の別実施例を示す図。
【図５】  本発明実施例の選別孔２の別実施例を示す図。
【符号の説明】
１    選別筒
２    選別孔
３    円孔
Ａ    小径の未熟粒
Ｄ    回転方向
【図１】
0004081803.tif 000002
【図２】
0004081803.tif 000003
【図３】
0004081803.tif 000004
【図４】
0004081803.tif 000005
【図５】
0004081803.tif 000006